【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
クライアント装置と、前記クライアント装置に情報処理サービスを提供するテナントを管理するサービス提供システムとを含む情報処理システムであって、
前記クライアント装置は、
ユーザからの操作に応じて前記サービス提供システムに情報を送信する情報処理部を有し、
前記情報処理部は、
前記テナントを利用するユーザを認証する認証要求を前記サービス提供システムに送信する第１送信部と、
前記サービス提供システムにおいて前記認証要求に対して行われるユーザ認証の結果により、パッケージの識別情報を含むパッケージ登録要求を前記サービス提供システムに送信する第２送信部と、を有し、
前記サービス提供システムは、
前記クライアント装置から取得した前記パッケージ登録要求に基づいて、前記テナントに、前記識別情報により識別される前記パッケージに含まれる少なくとも１つのアプリケーションプログラムを導入する導入部を有する、
情報処理システム。
【請求項２】
クライアント装置と、前記クライアント装置に情報処理サービスを提供するテナントを管理するサービス提供システムとを含む情報処理システムであって、
前記クライアント装置は、
ユーザからの操作に応じて前記サービス提供システムに情報を送信する情報処理部を有し、
前記情報処理部は、
前記テナントを利用するユーザを認証する認証要求を前記サービス提供システムに送信する第１送信部と、
前記サービス提供システムにおいて前記認証要求に対して行われるユーザ認証の結果により、パッケージの識別情報を含むパッケージ利用要求を前記サービス提供システムに送信する第３送信部と、を有し、
前記サービス提供システムは、
パッケージ登録画面を生成する生成部と、
前記ユーザのメールアドレスに、前記パッケージ登録画面にアクセスするためのメールを送信する送信部と、
情報処理装置から前記パッケージ登録画面にネットワークを介してアクセスを受け付けた場合、前記テナントに、前記パッケージ登録画面に対応する前記識別情報により識別される前記パッケージに含まれる少なくとも１つのアプリケーションプログラムを導入する導入部と、を有する
情報処理システム。
【請求項３】
前記情報処理部は、
前記パッケージのダウンロード要求を前記サービス提供システムに送信する第４送信部を更に有し、
前記サービス提供システムは、
前記ダウンロード要求に基づいて前記パッケージを他のサーバからダウンロードする取得部を更に有し、
前記導入部は、前記取得部が取得したパッケージに含まれる前記少なくとも１つのアプリケーションプログラムを導入する、
請求項１又は２に記載の情報処理システム。
【請求項４】
前記導入部は、前記ユーザが登録されているテナントに、前記識別情報により識別される前記パッケージに含まれる前記少なくとも１つのアプリケーションプログラムを導入する、
請求項１又は２に記載の情報処理システム。
【請求項５】
前記サービス提供システムは、
情報処理装置からの要求に応じて、前記テナントを開設する開設部を更に有する、
請求項１又は２に記載の情報処理システム。
【請求項６】
クライアント装置にインストールされる第１プログラムと、前記クライアント装置に情報処理サービスを提供するテナントを管理するサービス提供システムにインストールされる第２プログラムとを含む情報処理システムであって、
前記第１プログラムは、
前記テナントを利用するユーザを認証する認証要求を前記サービス提供システムに送信する第１送信部と、
前記サービス提供システムにおいて前記認証要求に対して行われるユーザ認証の結果により、パッケージの識別情報を含むパッケージ登録要求を前記サービス提供システムに送信する第２送信部、
として前記クライアント装置を機能させるプログラムであり、
前記第２プログラムは、
前記クライアント装置から取得した前記パッケージ登録要求に基づいて、前記テナントに、前記識別情報により識別される前記パッケージに含まれる少なくとも１つのアプリケーションプログラムを導入する導入部、
として前記サービス提供システムを機能させるプログラムである、
情報処理システム。
【請求項７】
クライアント装置と、前記クライアント装置に情報処理サービスを提供するテナントを管理するサービス提供システムとを含む情報処理システムにおいて実行される情報処理方法であって、
前記テナントを利用するユーザを認証する認証要求を前記クライアント装置が前記サービス提供システムに送信するステップと、
前記サービス提供システムにおいて前記認証要求に対して行われるユーザ認証の結果により、パッケージの識別情報を含むパッケージ登録要求を前記クライアント装置が前記サービス提供システムに送信するステップと、
前記クライアント装置から取得した前記パッケージ登録要求に基づいて、前記サービス提供システムが、前記テナントに、前記識別情報により識別される前記パッケージに含まれる少なくとも１つのアプリケーションプログラムを導入するステップと、
を含む情報処理方法。
【請求項８】
クライアント装置と、前記クライアント装置に情報処理サービスを提供するテナントを管理するサービス提供システムとを含む情報処理システムにおいて実行される情報処理方法であって、
前記テナントを利用するユーザを認証する認証要求を前記クライアント装置が前記サービス提供システムに送信するステップと、
前記サービス提供システムにおいて前記認証要求に対して行われるユーザ認証の結果により、パッケージの識別情報を含むパッケージ利用要求を前記クライアント装置が前記サービス提供システムに送信するステップと、
前記サービス提供システムがパッケージ登録画面を生成するステップと、
前記サービス提供システムが、前記ユーザのメールアドレスに対し前記パッケージ登録画面にアクセスするためのメールを送信するステップと、
前記サービス提供システムが、情報処理装置から前記パッケージ登録画面にネットワークを介してアクセスを受け付けた場合、前記テナントに、前記パッケージ登録画面に対応する前記識別情報により識別される前記パッケージに含まれる少なくとも１つのアプリケーションプログラムを導入するステップと、
を含む情報処理方法。
【手続補正２】
【補正対象書類名】明細書
【補正対象項目名】発明の名称
【補正方法】変更
【補正の内容】
【発明の名称】情報処理システムおよび情報処理方法
【手続補正３】
【補正対象書類名】明細書
【補正対象項目名】０００１
【補正方法】変更
【補正の内容】
【０００１】
本発明は、情報処理システムおよび情報処理方法に関する。
【手続補正４】
【補正対象書類名】明細書
【補正対象項目名】０００５
【補正方法】変更
【補正の内容】
【０００５】
上述した課題を解決し、目的を達成するために、本発明に係る情報処理システムは、クライアント装置と、前記クライアント装置に情報処理サービスを提供するテナントを管理するサービス提供システムとを含む情報処理システムであって、前記クライアント装置は、ユーザからの操作に応じて前記サービス提供システムに情報を送信する情報処理部を有し、前記情報処理部は、前記テナントを利用するユーザを認証する認証要求を前記サービス提供システムに送信する第１送信部と、前記サービス提供システムにおいて前記認証要求に対して行われるユーザ認証の結果により、パッケージの識別情報を含むパッケージ登録要求を前記サービス提供システムに送信する第２送信部と、を有し、前記サービス提供システムは、前記クライアント装置から取得した前記パッケージ登録要求に基づいて、前記テナントに、前記識別情報により識別される前記パッケージに含まれる少なくとも１つのアプリケーションプログラムを導入する導入部を有する。